(57)【特許請求の範囲】
【請求項１】
パレットのデッキ部の表面部を平面視で前後方向、左右方向にそれぞれ２等分することで４つに区画される各区画に、各区画の略中心を中心としドラム缶の半径と同じ半径の仮想円を描き、上記仮想円の、デッキ部の隅部を介して隣り合う区画の二辺のそれぞれの略１／２の位置と対応する位置に、それぞれ仮想円を跨いで仮想円の内側と外側とに延びる外側の滑り止め材を設け、この両外側の滑り止め材と対向する仮想円位置に、仮想円を跨いで仮想円の内側と外側とに延びる内側の滑り止め材を設け、これら外側の滑り止め材と内側の滑り止め材を、仮想円の中心を中心とした十字方向に配置したことを特徴とするパレット。
【請求項２】
上記仮想円の両外側の滑り止め材間に、仮想円を跨いで仮想円の内側と外側とに延びる中間の滑り止め材を設けて成ることを特徴とする請求項１に記載のパレット。
【請求項３】
上記仮想円の一対の外側の滑り止め材と一対の内側の滑り止め材との間に、仮想円を跨いで仮想円の内側と外側とに延びる中間の滑り止め材を設けて成ることを特徴とする請求項１又は請求項２に記載のパレット。
【請求項４】
外側の滑り止め材の仮想円を跨いだ仮想円の外側よりも、中間の滑り止め材の仮想円を跨いだ仮想円の外側の方が長いことを特徴とする請求項２又は請求項３記載のパレット。
【請求項５】
パレットのデッキ部の表面部を平面視で前後方向、左右方向にそれぞれ２等分することで４つに区画される各区画に、各区画の略中心を中心としドラム缶の半径と同じ半径の仮想円を描き、上記仮想円上の複数個所に滑り止め材を配置し、且つ、これら滑り止め材を、仮想円のうちデッキ部の外側部分の方に内側部分よりも多く配置したことを特徴とするパレット。
【請求項６】
仮想円上の複数の滑り止め材は、外側の滑り止め材を含み、この外側の滑り止め材は、上記仮想円の、デッキ部の隅部を介して隣り合う区画の二辺のそれぞれの略１／２の位置と対応する位置に、それぞれ仮想円を跨いで仮想円の内側と外側とに延びるように設けたものであることを特徴とする請求項５に記載のパレット。
【発明の詳細な説明】
【技術分野】
【０００１】
本発明は、ドラム缶を載置した際に滑ることがないようにしたパレットに関するものである。
【背景技術】
【０００２】
従来から、合成樹脂製のパレットのデッキ部の表面部に滑り止めのためにグロメットや帯ゴム等の滑り止め材を設けたもの、あるいは特許文献１に示されるように、デッキ部に滑り止め材を一体に形成したパレットが知られている。
【０００３】
一般にパレットに載置する載置物は下面が平面となっているので、載置物をパレットのデッキ部に載置すると、平面となった下面のどこかが、滑り止め材に載置されることになり、確実に滑り止め効果を発揮できる。
【０００４】
ところが、ドラム缶は、底面の外周に下方に向けて環状リブが突出し、この環状リブのみが載置されるようになっている。したがって、単にデッキ部の表面部に滑り止め材を設けただけのものでは、ドラム缶の下面に突出した上記環状リブが滑り止め材に載置される確立が低い。特に、ドラム缶を載せたパレットが、フォークリフトの停止や自動倉庫のストッパーにより移動を停止した際、パレットは停止するが、ドラム缶は重量が重いため、停止した瞬間に慣性により滑りやすく、特に、ドラム缶は重量が重いだけでなく、背が高くて重心が高い位置にあるので、ドラム缶が慣性で滑る時には進行方向に対して反対側が浮いて滑ることになり、したがって、ドラム缶の下面の上記環状リブは進行方向の限られたごく一部のみがデッキ部に当って傾きながら滑ることになり、この点でもデッキ部に単に部分的に滑り止め部を設けただけのものでは、滑り止め材に上記環状リブの進行方向の前端部のみが確実に載置された状態で滑り止め材によりブレーキをかけながらドラム缶の滑り落ちを防止するようにできない。
【０００５】
そこで、デッキ部の全表面に滑り止め材を設けることが考えられるが、これだと、高価な滑り止め材の使用量が多くてコストが高くなるという問題がある。
【０００６】
また、パレットのデッキ部に４個のドラム缶用の嵌合溝を形成し、ドラム缶用の嵌合溝にドラム缶の下面の環状リブを嵌め込むようにしたものが特許文献２により知られている。
【０００７】
しかしながら、この特許文献２に示された従来例においては、嵌合溝に環状リブを嵌め込んでいるので、デッキ部に載置するに当って位置決めが正確にできるという利点があるが、ドラム缶を載せたパレットが、フォークリフトの停止や自動倉庫のストッパーにより移動を停止した際、上記のように重量が重く、背が高くて重心が高い位置にあるドラム缶に進行方向に移動しようとする慣性力により上記のように進行方向に対して反対側が浮いて滑ろうとする力が作用する。ところが、上記のように嵌合溝に環状リブが嵌め込んであるため、ドラム缶の下端が移動しない状態で進行方向に傾むくことになり、傾きが大きくなり、場合によっては、ドラム缶が転倒するおそれがある。
【０００８】
また、滑り止め材を用いることなく、パレットのデッキ部にデッキ部と同じ硬質合成樹脂により一体にリブを突設して該リブにより滑り止めをするものもあるが、このものにあっては、リブがデッキ部と一体の硬質合成樹脂製であるため、ドラム缶のような金属製で且つ下面の環状リブのみが載置されるものにおいては、滑り止め材に比べて滑りやすいという問題がある。
【特許文献１】特公平７−３７０４４号公報
【特許文献１】特開２００１−１３０５７１号公報
【発明の開示】
【発明が解決しようとする課題】
【０００９】
本発明は上記の従来の問題点に鑑みて発明したものであって、簡単な構成でドラム缶がデッキ部から滑り落ちたり転倒して落下したりするのを確実に防止でき、また、デッキ部にドラム缶を載置する際に載置位置の確認が簡単にできるパレットを提供することを課題とするものである。
【課題を解決するための手段】
【００１０】
上記課題を解決するために本発明に係るパレットは、パレット１のデッキ部２の表面部を平面視で前後方向、左右方向にそれぞれ２等分することで４つに区画される各区画２ａに、各区画２ａの略中心を中心としドラム缶３の半径と同じ半径の仮想円４を描き、上記仮想円４の、デッキ部２の隅部を介して隣り合う区画２ａの二辺のそれぞれの略１／２の位置と対応する位置にそれぞれ仮想円４を跨いで仮想円４の内側と外側とに延びる外側の滑り止め材５を設け、この両外側の滑り止め材５と対向する仮想円４位置に、仮想円４を跨いで仮想円４の内側と外側とに延びる内側の滑り止め材７を設け、これら外側の滑り止め材５と内側の滑り止め材７を、仮想円４の中心０を中心とした十字方向に配置したことを特徴とするものである。
【００１１】
パレット１のデッキ部２には平面視で前後方向、左右方向に２等分することで４つに区画される各区画２ａにドラム缶３を載置するのであるが、ドラム缶３を載置する際に、２つの外側の滑り止め材５と２つの内側の滑り止め材７の上にドラム缶３の下面の環状リブ３ａの一部が載るように載置することで、ドラム缶３を正確な位置に位置決め状態で載置できると共に、同時にこの位置決め状態で外側及び内側の滑り止め材５，７上に環状リブ３ａが載置されて確実に滑り止めができる。この場合、２つの外側の滑り止め材５と２つの内側の滑り止め材７がいずれも仮想円４を跨いで仮想円４の内側と外側とに延びるように設けてあるので、載置作業時に多少の載置位置のずれがあっても確実に外側及び内側の滑り止め材５，７上にドラム缶３の下面の環状リブ３ａの一部を載置できる。また、ドラム缶を載せたパレットが、フォークリフトの停止や自動倉庫のストッパーにより移動を停止した際、重量が重く、背が高くて重心が高い位置にあるドラム缶に進行方向に移動しようとする慣性力が作用して進行方向に対して反対側が浮いて滑ろうとするが、このとき、本発明においては、上記仮想円４の、デッキ部２の隅部を介して隣り合う区画２ａの二辺のそれぞれの略１／２の位置と対応する位置にそれぞれ仮想円４を跨いで仮想円４の内側と外側とに延びるように２つの外側の滑り止め材５を設けてあるので、上記２つの外側の滑り止め材５のいずれかに環状リブ３ａの進行方向の前端部が載置された状態で、上記慣性によりドラム缶３が進行方向と反対側が浮いて傾いた前傾姿勢で滑ろうとすることになり、このため、ドラム缶３が進行方向に前傾した姿勢で外側の滑り止め材５上を外側の滑り止め材５によりブレーキをかけながら少し進んで停止することになり、これにより、滑り止め上を少し滑るがデッキ部２から落下するほど滑るのを防止でき、しかも従来のように進行方向の後端が浮いた前傾姿勢で下端が全くすべらないために、より急な倒れ姿勢になって転倒したりするといった事態が生じないようにできる。しかも、パレット１の進行方向が９０°変更されて上記のように移動を停止した場合は、上記２つの外側の滑り止め材５のうちの他方の滑り止め材５が上記と同様の滑り止め作用を行う。加えて、外側の滑り止め材５と内側の滑り止め材７を十字方向に配置しているので、仮想円４上の９０°隔てた位置に、外側の２つの滑り止め材５と内側の２つの滑り止め材７とが位置することになって、ドラム缶３の位置決めが簡単にできると共に、確実にドラム缶３の滑り止めができる。また、前記進行方向と反対に進行するときにも内側の滑り止め材７によりドラム缶３の滑り止めができる。
【００１２】
また、上記仮想円４の両外側の滑り止め材５間に仮想円４を跨いで仮想円４の内側と外側とに延びる中間の滑り止め材６を設けることが好ましい。
【００１３】
このような構成とすることで、外側及び内側の滑り止め材５，７と中間の滑り止め材６とでドラム缶３を載置できて安定してドラム缶３の滑り止めができる。また、ドラム缶３を載せたパレットが、フォークリフトの停止や自動倉庫のストッパーにより移動を停止した際、上記のように慣性により進行方向に前傾姿勢となったドラム缶３の下面の環状リブ３ａの進行方向の前端部が外側の滑り止め材５上をブレーキをかけながら少し滑って停止する。この場合、ドラム缶３が進行方向と交差する方向に振れることがあるが、中間の滑り止め材６により更にブレーキをかけて、滑り止め効果も増すことができる。
【００１６】
また、仮想円４の一対の外側の滑り止め材５と一対の内側の滑り止め材７との間に仮想円４を跨いで仮想円４の内側と外側とに延びる中間の滑り止め材６を設けることが好ましい。
【００１７】
このような構成とすることで、ドラム缶３をより確実に滑り止めすることができる。また、ドラム缶３を載せたパレットが、フォークリフトの停止や自動倉庫のストッパーにより移動を停止した際、上記のよう慣性により進行方向に前傾姿勢となったドラム缶３の下面の環状リブ３ａの進行方向の前端部が外側の滑り止め材５上をブレーキをかけながら少し滑って停止する。この場合、ドラム缶３が進行方向と交差する方向に振れることがあるが、中間の滑り止め材６により上記触れを抑制することが可能となる。
【００２０】
また、外側の滑り止め材５の仮想円４を跨いだ仮想円４の外側よりも、中間の滑り止め材６の仮想円４を跨いだ仮想円の外側の方が長いことが好ましい。このような構成とすることで、ドラム缶３がパレット１からはみ出しても中間の滑り止め材６によって滑り止め効果がある。
【００２１】
また、上記課題を解決するために本発明に係るパレットは、パレット１のデッキ部２の表面部を平面視で前後方向、左右方向にそれぞれ２等分することで４つに区画される各区画２ａに、各区画２ａの略中心を中心としドラム缶３の半径と同じ半径の仮想円４を描き、上記仮想円４上の複数個所に滑り止め材を配置し、且つ、これら滑り止め材を、仮想円４のうちデッキ部２の外側部分の方に内側部分よりも多く配置したことを特徴とするものであってもよい。更に、仮想円４上の複数の滑り止め材は、外側の滑り止め材５を含み、この外側の滑り止め材５は、上記仮想円４の、デッキ部２の隅部を介して隣り合う区画２ａの二辺のそれぞれの略１／２の位置と対応する位置に、それぞれ仮想円４を跨いで仮想円４の内側と外側とに延びるように設けたものであってもよい。
【発明の効果】
【００２２】
本発明は、重量が重く、背が高くて重心が高いドラム缶を、滑り止め材を目印にして簡単に且つ正確な載置位置に載置することができ、しかも、ドラム缶の滑り止めが確実にでき、特に、ドラム缶を載せたパレットが、フォークリフトの停止や自動倉庫のストッパーにより移動を停止した際に、進行方向に前傾姿勢となりながら慣性により滑る力が作用するときにも、ドラム缶に対して滑り止め材でブレーキをかけながら少し滑って停止させることで上記慣性力による前傾姿勢の滑りを吸収することができ、ドラム缶がパレットから滑り落ちることや転倒することを、確実に防止できる。
【発明を実施するための最良の形態】
【００２３】
以下、本発明を添付図面に示す実施形態に基いて説明する。
【００２４】
パレット１は合成樹脂により形成してあり、載置物を載置するためのデッキ部２と、複数の桁部８とを備えたもので、桁部８間がフォーク挿入部９となっている。
【００２５】
パレット１としては４方差しのものと、２方差しのものとがあるが、本発明においてはいずれのタイプのものであってもよい。なお、図１では２方差しの例を示している。
【００２６】
また、パレット１としては、全体を合成樹脂の一体成形により成形する一体成形型のパレットと、上半体と、下半体とを別々に成形して上半体と下半体とを溶着一体化して成形する溶着タイプのパレットとに大別できるが本発明においては、これらのいずれかのタイプに限定されるものではない。更に、パレット１としては金属製や木製であってもよい。
【００２７】
また、パレット１としては両面のデッキ部２に載置物を載置することができる両面使用タイプのものと、上面のデッキ部２のみが載置物を載置することができる片面使用タイプのものとがあるが、本発明においては、これらのいずれかのタイプに限定されるものではない。
【００２８】
図２、図４乃至図１２には本発明のパレット１の各例の平面図が示してある。本発明においては、載置物を載置するためのデッキ部２の表面部を平面視で前後方向、左右方向に仮想線１０、１１でそれぞれ２等分することで４つの区画２ａに区画し、更に、各区画２ａ略中心Ｏを中心としドラム缶３の半径（例えば、ドラム缶３の半径は５８５ｍｍ以下である）と同じ半径の仮想円４を描き、この仮想円４上に仮想円を跨いで内側と外側に伸びるエラストマーのような軟質合成樹脂、ゴム等よりなる滑り止め材を設けたことに特徴がある。滑り止め材は、パレット１よりも軟質で摩擦抵抗が大きい。
【００２９】
上記仮想線１０、１１、仮想円４は、デッキ部２における滑り止め材を設ける位置を特定するための仮想の線、円であって、デッキ部２には実際には設けないが、必要であれば、デッキ部２に目に見えるように上記仮想線１０、１１や仮想円４を表示してもよい。
【００３０】
そして、いずれの実施形態においても本発明においては、滑り止め材として、少なくとも、デッキ部２の隅部を介して隣り合う区画２ａの二辺のそれぞれの略１／２の位置と対応する位置にそれぞれ外側の滑り止め材５を設ける。
【００３１】
図４に示す実施形態においては、デッキ部２の隅部を介して隣り合う区画２ａの二辺のそれぞれの略１／２の位置と対応する位置にそれぞれ外側の滑り止め材５を設けた例である。
【００３２】
また、図２、図６乃至図９には、上記２つの外側の滑り止め材５に加え、両外側の滑り止め材５と対向する仮想円４位置にそれぞれ仮想円４を跨いで仮想円４の内側と外側とに延びる内側の滑り止め材７を設けた例であり、仮想円４上に仮想円４の中心０を中心とした十字方向に両外側の滑り止め材５と、両内側の滑り止め材７とが設けてある。このように内側滑り止め材７を設けることで、反対側に進行するとき（内側の滑り止め材７の方向に進行するとき）もドラム缶３の滑りを防止できる。
【００３３】
また、図２、図５、図７乃至図９の実施形態においては、上記２つの外側の滑り止め材５に加え、上記仮想円４の両外側の滑り止め材５間に仮想円４を跨いで仮想円４の内側と外側とに延びる中間の滑り止め材６を設けた例である。
【００３４】
また、図２、図８、図９に示す実施形態においては、更に、上記２つの外側の滑り止め材５、２つの内側の滑り止め材７、中間の滑り止め材６に加え、仮想円４の外側の滑り止め材５と内側の滑り止め材７との間に仮想円４を跨いで仮想円４の内側と外側とに延びる中間の滑り止め材６を設けた例である。
【００３５】
外側の滑り止め材５は、パレット１外周まで形成することによって、ドラム缶３の滑りに対してパレット１から飛び出すまで利いている。また、必要な箇所に形成することによって、高価なエラストマーの使用量がすくないことや滑りの原因になる雨水が溜まることもない。
【００３６】
上記各滑り止め材としては、仮想円４の中心を通る径方向に長くなった帯状のものにのみ限定されず、図１０のように仮想円４のデッキ部２の隅部を介して隣り合う区画２ａの二辺のそれぞれの略１／２の位置と対応する位置を通る接線と平行な方向に長くなった巾広形状、あるいは、図１１のように丸形状、あるいは図１２のように外側が広くなった略扇形状のもの等を採用することができる。
【００３７】
上記エラストマーのような軟質合成樹脂、ゴム等よりなる滑り止め材はパレット１を硬質合成樹脂により形成する際に軟質合成樹脂により滑り止め材の部分を同時に形成するいわゆる２色成形により形成したり、あるいは、パレット１のデッキ部２に後付けでグロメットや帯ゴムを取着することで滑り止め材を形成したりするものである。少ない箇所の滑り止め材でドラム缶３を支えると、ドラム缶３の環状リブ３ａが滑り止め材に沈み込む量が深くなり、滑り始めるときの抵抗に繋がる。
【００３８】
滑り止め材はデッキ部２の表面より少し上方に突出するように設けたり、あるいはデッキ部２の表面と面一となるように設けたりする。
【００３９】
上記のような構成のデッキ部２に滑り止め材を設けたパレット１上にドラム缶３を載置するには、図３のようにデッキ部２の表面部に４つのドラム缶３を載置するものである。すなち、デッキ部２の表面部を平面視で前後方向、左右方向にそれぞれ２等分することで４つに区画される各区画２ａにそれぞれ１つずつ合計４個ドラム缶３を載置する。
【００４０】
各区画２ａにドラム缶３を載置するには、各区画２ａに設けた複数の滑り止め材を目印にして、該滑り止め材上にドラム缶３の下端の環状リブ３ａが載るように載置する。つまり、滑り止め材は既に述べたように各区画２ａの略中心を中心としドラム缶３の半径と同じ半径の仮想円４上に位置しているので、各区画２ａに設けた複数の滑り止め材を目印としてこの上に環状リブ３ａが載るように載置すると、当該区画２ａのドラム缶３を載置すべき所定の位置にドラム缶３を載置することが可能となる。しかも、このように所定の位置にドラム缶３を載置するとドラム缶３の環状リブ３ａが必ず滑り止め材上に載置されて確実に滑り止めがなされる。また、滑り止め材は仮想円４を跨いで仮想円４の内側と外側とに延びているので、載置作業時に多少の載置位置の誤差があってもドラム缶３の環状リブ３ａが滑り止め材上に載置されて滑り止めがなされる。
【００４１】
本発明における滑り止め材によるドラム缶３の止め効果は、パレット１を移動していない場合にドラム缶３に外力が作用した際の滑り止め効果、パレット１をフォークリフトで移動している場合や自動倉庫の搬送路で移動している場合におけるドラム缶３の滑り止め効果があるが、本発明においては特に、ドラム缶３を載せたパレットが、フォークリフトの停止や自動倉庫のストッパーにより移動を停止した際、ドラム缶３が慣性により進行方向に前傾姿勢となって滑るのを抑制する効果が優れている。
【００４２】
すなわち、ドラム缶３を載せたパレット１が、フォークリフトの停止や自動倉庫のストッパーにより移動を停止した際、ドラム缶３には進行方向に慣性力が作用する。慣性力が作用するとドラム缶３は重量が重く、背が高くて重心が高い位置にあるので、図１３のＡのように垂直に起立していたドラム缶３に進行方向の慣性力が作用すると進行方向に対して反対側が浮き、ドラム缶３の下面の環状リブ３ａの進行方向の前端部のみが接地したのみの前傾姿勢で図１３のＢのように進行方向である矢印イ方向に滑ろうとする。
【００４３】
この場合、本発明においては、仮想円４の、デッキ部２の隅部を介して隣り合う区画２ａの二辺のそれぞれの略１／２の位置と対応する位置にそれぞれ仮想円４を跨いで仮想円４の内側と外側とに延びるように２つの外側の滑り止め材５を設けてあるので、パレット１の進行方向の前側に位置する区画２ａに載置したドラム缶３は、進行方向に対して前傾姿勢となって環状リブ３ａの進行方向の前端部の接地する部分が必ず上記２つの外側の滑り止め材５のいずれか一方（つまり進行方向に位置する外側の滑り止め材５）上に載置され且つ環状リブ３ａの進行方向と反対側が浮いて傾いた前傾姿勢で滑ろうとする。
【００４４】
このため、ドラム缶３が進行方向に前傾した姿勢で外側の滑り止め材５上を外側の滑り止め材５によりブレーキをかけながら図１３のＣのように少し進んで停止し、このようにブレーキをかけながら少し進んで停止すると、前傾姿勢で停止したドラム缶３は停止位置で重力の作用により進行方向に対して反対側の浮いた部分が設置して図１３のＤのように垂直姿勢に戻る（図１４の実線状態から想像線の状態まで進行方向に移動して停止する）。
【００４５】
このようにして前傾姿勢のドラム缶３が環状リブ３ａの進行方向の前端部のみを外側の滑り止め材５上に載置した状態で、外側の滑り止め材５によりブレーキをかけながら少し進んで停止するので、前傾姿勢のドラム缶３の慣性力を効果的に吸収して、デッキ部２からドラム缶３が滑り落ちるのを防止すると共にドラム缶３が転倒するのを防止することができる。
【００４６】
また、パレット１の進行方向が９０°変更されて上記のように移動を停止した場合は、上記２つの外側の滑り止め材５のうちの他方の滑り止め材５が上記と同様の滑り止め作用を行う。
【００４７】
ここで、ドラム缶３を載せたパレットが、フォークリフトの停止や自動倉庫のストッパーにより移動を停止した際、上記のよう慣性により進行方向に前傾姿勢となったドラム缶３の下面の環状リブ３ａの進行方向の前端部が外側の滑り止め材５上をブレーキをかけながら少し滑って停止するのであるが、この場合、ドラム缶３が慣性力により上記のように進行方向に前傾姿勢で移動する際ドラム缶３が進行方向と交差する方向に振れることがあるが、図２、図５、図７乃至図１２の実施形態のように、仮想円４の両外側の滑り止め材５間に仮想円４を跨いで仮想円４の内側と外側とに延びる中間の滑り止め材６を設けたものにおいては、上記のようにドラム缶３が進行方向と交差する方向に振れて、環状リブ３ａの進行方向の前端部が外側の滑り止め材５に対して浮いても、環状リブ３ａの他の部分が直ぐに中間の滑り止め材６上に載って振れを抑制して再び環状リブ３ａの進行方向の前端部が外側の滑り止め材５に載るように復元して進行方向にブレーキをかけることになり、この結果、ドラム缶３が振れても確実に滑り止めができる。また、パレット１の外側に放り出されることがない。
【００４８】
この場合、図２、図８、図９のように、仮想円４の外側の滑り止め材５と内側の滑り止め材７との間に仮想円４を跨いで仮想円４の内側と外側とに延びる中間の滑り止め材６を設けたものにおいては、慣性力により上記ドラム缶３の環状リブ３ａの進行方向の前端部が外側の滑り止め材５上をブレーキをかけながら少し進む際に、進行方向と交差する方向に触れる場合、当該環状リブ３ａの進行方向の前端部が載置される外側の滑り止め材５を中心にして一方側への振れに対しては上記のように当該外側の滑り止め材５と他の外側の滑り止め材５との間の中間の滑り止め材６が振れを抑制する働きをし、他方側への振れに対しては当該外側の滑り止め材５と内側の滑り止め材７との間の中間の滑り止め材６が振れを抑制する働きをし、触れが生じても、より確実に再び環状リブ３ａの進行方向の前端部が外側の滑り止め材５に載るように復元して進行方向にブレーキをかけることになり、この結果、ドラム缶３が振れても確実に滑り止めができる。
【００４９】
ここで、両外側の滑り止め材５の中間に位置する中間の滑り止め材６及び外側の滑り止め材５と内側の滑り止め材７の中間に位置する中間の滑り止め材６の仮想円４よりも外側の部分を、外側の滑り止め材５の仮想円よりも外側の部分より長く形成してあり、これにより、仮に、ドラム缶３がパレット１からはみ出しても中間の滑り止め材６により滑り止め効果がある。
【００５０】
また、図２、図６乃至図９のように仮想円４上に仮想円４の中心Ｏを中心とした十字方向に両外側の滑り止め材５と、両内側の滑り止め材６を設けたものにおいては、ドラム缶３の下面の環状リブ３ａをより正確な位置に載置し、より安定して滑り止め効果がある。
【００５１】
また、複数の滑り止め材を一体に連続する構成としてもよい。この場合の一実施形態が図２に示してある。このように、各滑り止め材が一体に連続した構成とするものにおいては、デッキ部２に複数の滑り止め材を形成する際に２色成形により簡単に複数の滑り止め材を形成できる。また、複数の滑り止め材が個別に剥離するのを防止できる。
【００５２】
図２にはデッキ部２の全区画２ａに設ける複数の滑り止め材の全部を一体に連続する構成としたが、各区画２ａ毎に複数の滑り止め材を一体に連続する構成してもよい。
【００５３】
また、外側の滑り止め材５の１つと中間の滑り止め材６を組み合わせて一体にしたり、あるいは両外側の滑り止め材６と中間の滑り止め材６を組み合わせて一体にしたり、あるいは中間の滑り止め材６と外側の滑り止め材７とを組み合わせて一体にしたり、というように複数種類の滑り止め材を組み合わせて一体にしてもよい。一体の方法は、直線で連結することや曲線で連結してもよく、特に曲線で連結するとドラム缶３の置く位置が明確となる。
【００５４】
図１０には曲線となった連結部分により複数の滑り止め材を連結した一例を示している。この実施形態では、隣接する滑り止め材を対として曲線状となった弧状連結部３０により連結した例であり、更に、この例では、隣合う区画２ａの背中合わせになった内側の滑り止め材７同士も一体に連結してある。そして、各区画２ａにおいて４つの弧状連結部３０は区画２ａの中心０を中心とする円上に位置している。
【００５５】
また、図示を省略しているが、デッキ部２の上面部にデッキ部２の前後方向に複数の帯状の滑り止め材を前後方向の全長に設けると共にデッキ部２の左右方向に複数の帯状の滑り止め材を前後方向の全長に設けることで、外側の滑り止め材５、中間の滑り止め材６、内側の滑り止め材７を形成するようにしてもよい。
【００５６】
また、滑り止め材がデッキ部２の表面よりも突出しているものにおいては、ドラム缶３の環状リブ３ａの一部がデッキ部２から突出した各滑り止め材に食い込むようにして載置されることになり、より滑り止め効果を発揮できるものである。
【００５７】
ここで、図４のように滑り止め材として、２つの外側の滑り止め材５のみを設けた場合、あるいは、図５、図１１、図１２のように２つの外側の滑り止め材５と両滑り止め材６間に中間の滑り止め材６を設けたものにおいて各滑り止め材をデッキ部２の表面よりも突出した構成とすると、デッキ部２の各区画２ａの上記滑り止め材にドラム缶３の環状リブ３ａの一部を載せると、環状リブ３ａの両外側の滑り止め材５間に対応する部分と反対側の部分がデッキ部２上に載置され、これによりドラム缶３がデッキ部２の略中央部側に向けてごく僅かに傾斜した姿勢で載置されることになる。このように、ドラム缶３をデッキ部２の略中央部側に向けてごく僅かに傾斜した姿勢で載置すると、ドラム缶３が外側に滑り難く、また、パレット１を停止した際にドラム缶３に進行方向の慣性力が作用しても進行方向に前傾しにくくなり、進行方向と反対側の浮き高さも小さくでき、よりいっそう、ドラム缶３がデッキ部２から滑り落ちたり、転倒したりするのを防止することができる。
【００５８】
本発明のパレット１は上記のようにドラム缶３を載置することで上記のような作用、効果を有しているが、ドラム缶３以外の他の種々の載置物も載置するのに使用することができるのは勿論である。
【図面の簡単な説明】
【００５９】
【図１】本発明のパレットの一実施形態の斜視図である。
【図２】同上の平面図である。
【図３】同上のドラム缶を載置した状態の斜視図である。
【図４】本発明の他の実施形態の平面図である。
【図５】本発明の更に他の実施形態の平面図である。
【図６】本発明の更に他の実施形態の平面図である。
【図７】本発明の更に他の実施形態の平面図である。
【図８】本発明の更に他の実施形態の平面図である。
【図９】本発明の更に他の実施形態の平面図である。
【図１０】本発明の更に他の実施形態の平面図である。
【図１１】本発明の更に他の実施形態の平面図である。
【図１２】本発明の更に他の実施形態の平面図である。
【図１３】本発明のドラム缶を載置したパレットの進行を停止した際にドラム缶が慣性により前傾姿勢で滑ろうとする際に外側の滑り止め材によりブレーキをかけながら少し進んで停止することを説明する説明図である。
【図１４】同上の平面図である。
【符号の説明】
【００６０】
１  パレット
２  デッキ部
２ａ  区画
３  ドラム缶
３ａ  環状リブ
４  仮想円
５  外側の滑り止め材
６  中間の滑り止め材
７  内側の滑り止め材
【図１】
0005302548.tif 000002
【図２】
0005302548.tif 000003
【図３】
0005302548.tif 000004
【図４】
0005302548.tif 000005
【図５】
0005302548.tif 000006
【図６】
0005302548.tif 000007
【図７】
0005302548.tif 000008
【図８】
0005302548.tif 000009
【図９】
0005302548.tif 000010
【図１０】
0005302548.tif 000011
【図１１】
0005302548.tif 000012
【図１２】
0005302548.tif 000013
【図１３】
0005302548.tif 000014
【図１４】
0005302548.tif 000015